(57)【要約】      （修正有）【課題】水が噴流管を通過する際、吸気孔外部の空気を吸入且つろ過を行うことで、空気の浄化効果及び空気対流の高い置換率を達する水ろ過材空気浄化装置の提供。【解決手段】水タンク４内には、水を収容する収容空間が設けられ、上部周辺には複数の吸気孔４３と複数の排気孔４４とが設けられ、上端にはハウジング８が設けられ、ハウジング上には水タンクと同じ複数の吸気孔と、貯水槽８１とが設けられ、また、水タンク４内には水ポンプ５と接続する均圧装置６が設けられ、均圧装置６上には複数の噴流管６２が設けられ、噴流管は複数の吸気管７を介して吸気孔４３に接続され、水ポンプ５を介して収容空間にある水を吸引し、噴流管６２を介して取込んだ吸気孔４３の外にある空気を水と分解及び混合を行い、水タンク４上の吸気孔４３によって空気中の不純物をろ過し、迅速且つ広範囲にわたる空気の浄化を達し、更に水でろ過する水ろ過材空気浄化装置３。【選択図】図３
2017042381.tif 000002
【特許請求の範囲】
【請求項１】
水タンク、水ポンプ、均圧装置、複数の吸気管、ハウジング及び溢水容器を包括する水ろ過材空気浄化装置であって、
前記水タンク内は、上方に開口を有して水を収容する収容空間を設け、前記水タンクの上部周辺は、前記収容空間と連通し合う複数の吸気孔と複数の排気孔とを分布するように設け、また、同じ前記水タンクの上方周辺は、前記水タンク上において、これ等吸気孔及びこれ等排気孔より低い位置に位置して前記収容空間と連通し合う排水孔を設け、
前記水ポンプは、前記水タンクの前記収容空間下方に設けられ、
前記均圧装置は、前記水ポンプと接続し、その周辺は、複数の噴流管を設け、且つその内部は、前記水ポンプ及びこれ等噴流管とそれぞれ連通し合う均圧チャンバを有し、
前記複数の吸気管の両端は、前記吸気孔及び前記噴流管とそれぞれ連通し合い、
前記ハウジングは、前記開口に対応するように前記水タンクの上端に設けられ、且つ前記ハウジング上に、前記水タンクと同じ複数の吸気孔と、貯水槽とが設けられ、これ等吸気孔は、これ等吸気管を介してこれ等噴流管とそれぞれ連通し合い、前記貯水槽の下端は、前記収容空間内にある水まで延在する入水管を接続し、
前記溢水容器は、前記排水孔に対応するように設置することで、前記排水孔から溢れ出した水を受けることを特徴とする水ろ過材空気浄化装置。
【請求項２】
これ等吸気孔のうちの一つの外側に設置するように接続する少なくとも一つの延伸管をさらに包括することを特徴とする請求項１に記載の水ろ過材空気浄化装置。
【請求項３】
前記吸気管が前記吸気孔に接続する一端の孔径内は、メネジを設け、前記延伸管の一端は、オネジを設け、前記延伸管の一端は、前記オネジを介して前記吸気管の前記メネジと螺設することを特徴とする請求項２に記載の水ろ過材空気浄化装置。
【請求項４】
前記収容空間の底部は、前記水ポンプを架設し且つ接続するように固定するための複数の支持部を凸設することを特徴とする請求項１に記載の水ろ過材空気浄化装置。
【請求項５】
前記貯水槽の上端は、貯水用開口及び前記貯水用開口の上方に設置する外蓋を設け、前記外蓋の上面は、これを貫通する気孔を設けることを特徴とする請求項１に記載の水ろ過材空気浄化装置。
【請求項６】
前記水タンクの一方に、凹溝を内側に向かうように凹設し、前記排水孔を前記凹溝の上端に設け、前記溢水容器を前記水タンクの前記凹溝内に設置し、溢水用開口９１を前記排水孔４５に対応するように設置することを特徴とする請求項１に記載の水ろ過材空気浄化装置。
【請求項７】
前記溢水容器の下方に、連通し合う排水管を設けることを特徴とする請求項１に記載の水ろ過材空気浄化装置。
【請求項８】
前記水タンク下部周辺の一方に、前記収容空間の底部に連通し合う排水弁を設けることを特徴とする請求項１に記載の水ろ過材空気浄化装置。
【請求項９】
前記水タンクの下方に、前記水タンクを移動させるための複数のローラを設けることを特徴とする請求項１に記載の水ろ過材空気浄化装置。
【発明の詳細な説明】
【技術分野】
【０００１】
本発明は、空気浄化装置、特に水を利用して空気をろ過する、水ろ過材空気浄化装置に関するものである。
【背景技術】
【０００２】
環境団体の調査によると、多くの家は、室内の空気が室外の空気より数倍から数十倍という極めて高い程度で汚染されていると指摘しており、このため、人体の肺やアレルギー、又はぜんそくなどの悪影響を引き起こし易く、環境衛生を重視する家庭では空気浄化機を購入して、室内の空気品質の改善を図っている。
【０００３】
通常、ファンを利用して吸入／排出を行う空気浄化機は、モータを利用してファンを回転させており、ファンの継続的な高速回転によって空気を吸入し、且つファン前端に設置された複数のフィルタを利用して空気中の懸濁粒子をろ過し、空気を浄化する目的を達しているが、フィルタは空気中にあるさらに細かい微粒子状物質を完全にろ過することはできず、空気に敏感な人にとって緩和はできるものの解決はされておらず、さらに、空気のろ過効率を最大限にするため、常時フィルタの交換を余儀なくしており、このことから、空気中の微粒子状物質の問題は依然と存在し、且つフィルタ及びファンに塵埃や不純物が継続に付着する際、消費電力及び騒音が大きくなるだけでなく、吸引する空気の範囲を低下させたり、フィルタの交換によって家庭内の支出を増加させて負担を大きくしている。
【０００４】
現在、市販されている、水ろ過を利用して気体を浄化する装置として、例示する特許文献１に記載の水循環吸収型硫化水素空気浄化機１は、図１のように、貯水槽１０、ポンプ１１、ベンチュリ管１２、側管１３、ろ過及び流れ案内装置１４、イオン濃度モニタリング装置及びタイムスイッチを包括し、ポンプ１１によって水Ｗ３を送出し、ベンチュリ管１２に流れ込むことによって加速し、ベンチュリ管１２において圧力差を形成し、側管１３より気体Ａ３を吸入して水Ｗ３に混入させ、気体／液体の混合を完成させることで、気体Ａ３中の硫化水素成分を溶解して取除き、空気Ａ３１の浄化を図っているが、これには、ベンチュリ管１２が導入した気体Ａ３／水Ｗ３の混合によって得られた清浄な空気Ａ３１は貯水槽１０内から放出することができないという重大な構造的欠陥を有しており、空気Ａ３１が貯水槽１０内で過剰に累積すると、空気Ａ３１の圧力によって、ポンプ１１が汲み上げた水Ｗ３は徐々に減少し、最終的には、ベンチュリ管１２は、気体／液体の混合及び浄化の効果を達することができなくなる。
【０００５】
また、水ろ過を利用して気体を浄化する装置として、さらに例示する特許文献２に記載のベンチュリ気泡型スクラブ塔排気ガス処理装置２は、図２のように、循環ポンプ２１によってスクラブ塔吸収液Ｗ４を循環的に揚水すると同時に、揚水メイン管２２の横にあるベンチュリ真空吸入器２３を利用して排気ガスＡ４を吸入することで、排気ガスＡ４はスクラブ塔吸収液Ｗ４と混合するように接触して霧化することで気泡混合液にし、さらに、静的撹拌管２４によって再度、気体と液体の混合を徹底的に行い、最後に、循環水槽２０内にある散気管２５によって噴出することで、排気ガスＡ４中の粉塵がスクラブ塔吸収液Ｗ４に充分に捕捉される上、循環水槽２０内に浸漬し、浄化した空気Ａ４１は排気管２６より排出することから、排気ガスＡ４の処理及び空気の浄化という効果を達しているが、一組のベンチュリ真空吸入器２３で吸い取った排気ガスＡ４の浄化効率は好ましくない上、常時、スクラブ塔吸収液Ｗ４を手動で交換しなければ、最も好ましい排気ガスＡ４の浄化効果を達することができない等という点があることから、家庭用としては不向きである。
【先行技術文献】
【特許文献】
【０００６】
【特許文献１】台湾専利公開第２０１０４１６４２号
【特許文献２】台湾専利公告第３５２００７号
【発明の概要】
【発明が解決しようとする課題】
【０００７】
本発明の目的は、噴流の原理を利用し、水が複数の噴流管を通過する際、水タンク上にある様々な方向に向いている複数の吸気孔外部の空気を吸入且つろ過を行うことで、迅速且つ広範囲にわたる空気の浄化効果及び空気対流の高い置換率を達する水ろ過材空気浄化装置を提供することにある。
【課題を解決するための手段】
【０００８】
上述した目的を達成するため、本発明は、水タンク、水ポンプ、均圧装置、複数の吸気管、ハウジング及び溢水容器を包括する水ろ過材空気浄化装置を提供するものであって、前記水タンク内には、上方に開口を有して水を収容する収容空間が設けられ、前記水タンクの上部周辺には、前記収容空間と連通し合う複数の吸気孔と複数の排気孔とが分布するように設けられ、また、同じ前記水タンクの上方周辺には、前記水タンク上において、これ等吸気孔及びこれ等排気孔より低い位置に位置して前記収容空間と連通し合う排水孔が設けられ、前記水ポンプは、前記水タンクの前記収容空間下方に設けられ、前記均圧装置は、前記水ポンプと接続し、その周辺には、複数の噴流管が設けられ、且つその内部には、前記水ポンプ及びこれ等噴流管とそれぞれ連通し合う均圧チャンバがあり、前記複数の吸気管の両端は、前記吸気孔及び前記噴流管とそれぞれ連通し合っており、前記ハウジングは、前記開口に対応するように前記水タンクの上端に設けられ、且つ前記ハウジング上には、前記水タンクと同じ複数の吸気孔と、貯水槽とが設けられ、また、前記ハウジングのこれ等吸気孔は、これ等吸気管を介してこれ等噴流管とそれぞれ連通し合い、前記貯水槽の下端には、前記収容空間内にある水まで延在する入水管が接続され、前記溢水容器は、前記排水孔に対応するように設置することで、前記排水孔から溢れ出した水を受けている。
【発明の効果】
【０００９】
上述したことから、本発明に係る水ろ過材空気浄化装置は、周知技術と比べて以下のような利点を有している。
【００１０】
第一に、本発明は、水の混合及びろ過を利用して空気中にある細菌、病原菌或いは微粒子状物質を一方的に水の中に遮断することで、空気の品質を改善するだけでなく、感染性疾患の蔓延を阻止するという目的も達成でき、且つ空気中にある二酸化炭素を水の中に吸収して混合することで、二酸化炭素の削減という効果を相対的に達することができる。
【００１１】
第二に、本発明は、水と空気とがこれ等噴流管内において激しく衝突して分解及び混合することで、空気中に天然のマイナスイオンを放出し、空気中のマイナスイオンがこれ等排気孔より異臭や煤煙粒子、さらには塵埃や細菌が存在する外気に放出されて対流し、吸収及び混合を繰り返すと、空気の浄化という効果を達成し、不快感を低減し、身体を健康的な状態に回復することができる。
【００１２】
第三に、本発明は、潜液式の水ポンプを用いることから、長期的な稼働でも水の冷却によってオーバーヒートや自然燃焼等の現象が起こり難く、且つ水によって稼働の際に発生する騒音を低減することができる。
【００１３】
第四に、本発明に係る前記排水孔は、前記収容空間内にある水面と揃えるような形を呈し、水ポンプの稼働を介する際、水が前記収容空間内において波動を発生することで、一部の水が排水口から溢れ出し、溢水容器によって受け止められ、前記貯水槽は、水圧センサによって清浄な水を前記収容空間内に補充し、自動的に水を補充する流動循環を形成することで、水ろ過材の清浄を保持し、且つ状況に応じて真水、塩水或いは水溶液等を水ろ過材に用いることができるため、ろ過材の入手が容易で、費用が低減できる上、環境的利益に符合している。
【００１４】
第五に、本発明は、複数の噴流管の設置を用いており、たとえそのうちの一つが詰まったり、損傷したりしたとしても、その他の噴流管が継続的に稼動してその効果を発揮している。
【００１５】
第六に、本発明に係る水ろ過材空気浄化装置は、その下方にローラが設けられており、随時、水ろ過材空気浄化装置を移動させて空気の浄化を行うことができ、且つ前記吸気孔に掃除機のように延伸管を挿入することで、延伸管の延伸を利用して広範囲且つ重点的に空気及び塵埃の吸引を行うことができ、例えば、浴室内で用いると、水ろ過材空気浄化装置を利用して浴室内の蒸気を吸引し、且つ延伸管は、床にたまった水を吸収することができるため、浴室内の湿気を低減して環境の安全を向上させている。
【図面の簡単な説明】
【００１６】
【図１】周知技術である水循環吸収型硫化水素空気浄化機を示す模式図である。
【図２】周知技術であるベンチュリ気泡型スクラブ塔排気ガス処理装置を示す模式図である。
【図３】本発明に係る水ろ過材空気浄化装置を示す分解図である。
【図４】本発明に係る水ろ過材空気浄化装置を示す断面図である。
【図５】本発明に係る噴流管を示す断面図である。
【図６】本発明に係る延伸管が吸気孔と接続する箇所を示す局部拡大図である。
【図７】本発明に係る噴流管にある水と吸気管にある気体とが流動して混合する様を示す模式図である。
【図８】本発明に係る収容空間内にある水が震動して排水孔から溢れ出す様を示す模式図である。
【図９】本発明に係る貯水槽が清浄な水を収容空間に補充して循環する様を示す模式図である。
【図１０】本発明に係る水ろ過材空気浄化装置にローラ及び複数の延伸管を設置する実施例を示す模式図である。
【発明を実施するための形態】
【００１７】
図面を参照しつつ、具体的な実施例により、以下において詳細な説明するすることで、本発明に係る目的、技術内容、技術的特徴及びそれが達成できる効果をより理解することができると思料する。なお、本発明を詳細に説明する前に、以下の説明内容において、類似する部材は同じ符号を付して表示していることを注意してほしい。
本発明は、図３及び図４で図示されているように、水タンク４、水ポンプ５、均圧装置６、複数の吸気管７、少なくとも一つの延伸管７１、ハウジング８及び溢水容器９を包括する水ろ過材空気浄化装置３であって、
前記水タンク４は、前記水タンク４内部に、水Ｗ１を収容し且つその上方に開口４２を有して底部に複数の支持部４１１を凸設する収容空間４１を設け、前記水タンク４上部周辺に、前記収容空間４１と連通し合う複数の吸気孔４３と複数の排気孔４４とを分布するように設け、前記水タンク４の一方に、凹溝４０を内側に向かうように凹設し、前記水タンク４は、前記凹溝４０の上端にこれ等吸気孔４３及びこれ等排気孔４４より低い位置に位置する排水孔４５を設け、前記水タンク４下部周辺の一方に、前記収容空間４１の底部に連通し合う排水弁４６を設けており、
前記水ポンプ５は、前記水タンク４の前記収容空間４１下方に設けられ、ネジ等の固定ユニット５０により前記水ポンプ５の下端にある固定部５１を前記収容空間４１のこれ等支持部４１１に対応するように接続して固定し、前記水ポンプ５は、さらに前記排水孔４５から離れて設置する吸引側５２と、前記排水孔４５に近接して設置する排出側５３とを包括しており、
前記均圧装置６は、前記水ポンプ５と接続し、前記均圧装置６周辺に複数の噴流管６２を設け、前記均圧装置６の内部に前記水ポンプ５の前記排出側５３及びこれ等噴流管６２とそれぞれ連通し合う均圧チャンバ６１を有し、図５を参照すると、前記噴流管６２は、前端６２１と後端６２２に分かれ、前記噴流管６２の前記前端６２１と前記後端６２２との間に、次第に縮小するように形成する第一縮小孔６２３及び第二縮小孔６２４をそれぞれ間隔を置いて設置し、且つ前記噴流管６２の前記第一縮小孔６２３と前記第二縮小孔６２４との間に水及び気体の混合空間６２５を形成し、また、これ等噴流管６２の前記前端６２１は前記均圧チャンバ６１とそれぞれ連通し合うように接続し、これ等噴流管６２の前記後端６２２は水Ｗ１の排出口であって、これ等噴流管６２の前記水及び気体の混合空間６２５がある一方に、連通し合う吸気口６３をそれぞれ設けており、
これ等吸気管７の両端は、これ等吸気孔４３及びこれ等噴流管６２のこれ等吸気口６３に連通し合うようにそれぞれ対応し、これ等吸気管７のこれ等吸気孔４３に近接する一端の孔径内にメネジ７０をそれぞれ設け、図６のように、前記延伸管７１の一端にオネジ７１１を設け、前記延伸管７１は、前記オネジ７１１を利用してこれ等吸気孔４３のうちの一つの外側より前記吸気管７の前記メネジ７０に対応するように螺接しており、
前記ハウジング８は、前記開口４２に対応するように、前記水タンク４の上部に設け、前記ハウジング８は、その上面に前記水タンク４と同じ複数の吸気孔４３と、前記排水孔４５から離れるように設ける貯水槽８１とを設け、これ等吸気孔４３はこれ等吸気管７を介してこれ等噴流管６２のこれ等吸気口６３とそれぞれ連通し合い、前記貯水槽８１の上端は貯水用開口８１１及び前記貯水用開口８１１の上方に設置する外蓋８１２を設け、前記外蓋８１２の上面はこれを貫通する気孔８１３を設け、前記貯水槽８１の下端はこれと連通し合う入水管８１４を接続し、前記入水管８１４の末端は前記水ポンプ５の吸引側５２に対応し且つ前記収容空間４１にある水Ｗ１内まで延在しており、
前記溢水容器９は、前記水タンク４の前記凹溝４０内に設置し、溢水用開口９１を前記排水孔４５に対応するように設置している。
【００１８】
本発明に係る前記水ろ過材空気浄化装置３は、上述したことから分かるとおり、前記ハウジング８は、前記水タンク４上に設けられ、前記水タンク４のこれ等吸気孔４３と前記ハウジング８のこれ等吸気孔４３とは、これ等吸気管７及び前記延伸管７１を介してこれ等噴流管６２のこれ等吸気口６３と連通し合っており、本発明に係る実施例において、図４及び図７のように、前記収容空間４１内にある水Ｗ１の最高水位が前記排水孔４５の位置と揃った場合、前記水ポンプ５を起動して前記吸引側５２から前記収容空間４１内にある水Ｗ１を吸引し、前記排出側５３から高圧で水Ｗ１を排出して前記均圧装置６内に流し込むことで、水Ｗ１は前記均圧チャンバ６１内で均圧化されてこれ等噴流管６２からそれぞれ排出し、そのうち、これ等噴流管６２は、噴流の原理を利用し、水Ｗ１がこれ等噴流管６２の前記前端６２１から前記第一縮小孔６２３を通過すると、水Ｗ１は前記第一縮小孔６２３の断面積の縮小を受けることにより、さらに大きな水圧を発生させて前記水及び気体の混合空間６２５に流れ込み、これによって、水Ｗ１は前記水及び気体の混合空間６２５において前記吸気口６３を通過して負圧式の吸引力を発生し、この吸引力を介してこれ等吸気口６３及びこれ等吸気管７からこれ等吸気孔４３周囲にある気体Ａ１をそれぞれ取込み、細菌、病原菌或いは微粒子状物質を含有する気体Ａ１を前記水及び気体の混合空間６２５内まで取込んで水Ｗ１と混合して微小な気泡を有する気泡液ＡＷを形成し、気泡液ＡＷは前記第二縮小孔６２４を通過して加圧された後前記後端６２２から前記収容空間４１内に排出されている。
【００１９】
次に、図７及び図８をさらに参照すると、本発明に係る前記水ろ過材空気浄化装置３は、これ等吸気孔４３及び前記延伸管７１から周囲にある気体Ａ１を取込んだ後、気体Ａ１は、前記水及び気体の混合空間６２５において、水Ｗ１と激しく衝突して分解及び混合することで、気体Ａ１から天然のマイナスイオンを含む清浄気体Ａ２及び水Ｗ１と混合してなる気泡液ＡＷを分解し、清浄気体Ａ２がこれ等排気口４４より放出され且つ空気中にある異臭や煤煙粒子、さらには塵埃や細菌等の気体Ａ１と対流し、吸収及び混合を繰り返すことで、空気の浄化という効果を達成し、不快感を低減し、身体を健康的な状態に回復させている。水Ｗ１と気体Ａ１とが前記水及び気体の混合空間６２５において、激しく衝突し且つ混合することでできる気泡液ＡＷは、前記収容空間４１内に流れ込み、単一方向の遮断を形成して気体Ａ１にある細菌、病原菌或いは微粒子状物質を水Ｗ１にろ過することで、伝染性疾患の蔓延を阻止し、気体Ａ１に含まれている二酸化炭素は、水Ｗ１と混合して水Ｗ１に溶け込むことで、二酸化炭素の削減という効果を相対的に達成し、油煙や大きな塵埃等の異物Ｏを含む一部の気体Ａ１は水Ｗ１と混合することができず、且つ前記水ポンプ５による吸引／排出の循環によって、水Ｗ１は前記収容空間４１内において波動が発生し、軽量な異物Ｏは、水面に浮上して水Ｗ１と共に前記排出孔４５から溢れ出し、前記溢水容器９の前記溢水用開口９１によってそれを受けている。
【００２０】
以上のことから、本発明に係る水ろ過材空気浄化装置３は、さらに以下のような利点を有している。
【００２１】
第一に、本発明に係る水ろ過材空気浄化装置３を使用する場合、図９のように、前記外蓋８１２を開けて清浄水Ｗ２を補充し、前記気孔８１３を利用し、清浄水Ｗ２を前記貯水槽８１において前記収容空間４１にある水Ｗ１の水圧と同じにし、前記収容空間４１にある水Ｗ１が前記排水孔４５から溢れ出すと、水圧が低下し、前記貯水槽８１は前記入水管８１４によって前記収容空間４１内の水圧が低下していることを感知して清浄水Ｗ２を前記収容空間４１内に補充し、前記入水管８１４は前記水ポンプ５の前記吸引側５２として吸引及び循環を直接行っており、且つ本発明は、前記排水管９２を介して前記溢水容器９の下方に間接的に設置するか、或いは前記排水孔４５と直接接続することができ、なお、図面では前記排水管９２は前記溢水容器９の下方に間接的に設置し、前記排水管９２を利用して異物Ｏが混入する水Ｗ１を容易に放出しており、本発明に係る水ろ過材空気浄化装置３は、異物Ｏが混入する水Ｗ１が前記収容空間４１内で死水の循環を形成して気体Ａ１の浄化効果を低減しないように、前記収容空間４１内で流出した水Ｗ１を自動的に補充し、流動する水Ｗ１によって清浄度を継続的に保持して気体Ａ１と混合・ろ過を行うことから、本発明に係る水ろ過材空気浄化装置３は好ましい空気の浄化効果を有している。
【００２２】
第二に、前記貯水槽８１の清浄水Ｗ２は、状況に応じて真水或いは殺菌効果のある塩水や水溶液を用いることができ入手が容易で、費用が低減できる上、環境的利益に符合している。
【００２３】
第三に、本発明に係る前記水ポンプ５は、揚水ポンプ或いは潜液式ポンプを用いており、実施では、潜液式ポンプが好ましく、前記水ポンプ５は、長期的な稼働でも水Ｗ１の冷却によってオーバーヒートや自然燃焼等の現象が起こり難く、且つ水Ｗ１によって前記水ポンプ５が稼働の際に発生する騒音を低減することができ、また、前記水ポンプ５は、前記収容空間４１内に架設されることから、広い水Ｗ１の吸引範囲を有することができる。
【００２４】
第四に、本発明に係るこれ等噴流管６２は、これ等吸気管７を利用して前記水タンク４及びハウジング８上にあるこれ等吸気孔４３に対応するように接続することから、これ等吸気孔４３の周囲にある気体Ａ１を多方向且つ広範囲に取込むことができ、気体Ａ１が清浄気体Ａ２と対流する高い交換率及び浄化効果を達している。
【００２５】
第五に、本発明に係る水ろ過材空気浄化装置３のこれ等噴流管６２のうちの一つが詰まったり、損傷したりしたとしても、その他の噴流管６２が継続的に稼動してその効果を発揮している。
【００２６】
第六に、本発明に係る水ろ過材空気浄化装置３は、図１０のように、前記水タンク４の下方に複数のローラ４７が設けられており、随時、水ろ過材空気浄化装置３を移動させて異なる空間の気体Ａ１を対流して浄化し、且つ本発明に係る水ろ過材空気浄化装置３の前記延伸管７１は、掃除機のように重点的に空気及び塵埃の吸引し、浴室内で用いた場合、気体Ａ１にある蒸気を吸引するだけでなく、ガスの不完全燃焼で発生する一酸化炭素も人体に取り込まれないように吸収し、さらに前記延伸管７１は、床にたまった水や不用意に溢した水Ｗ１を対象として吸収することができるため、浴室内の湿気を低減して環境の安全を向上させており、さらにまた、本発明に係る水ろ過材空気浄化装置３は、状況に応じて複数の延伸管７１を設けることができ、例えば、病院施設では、前記複数の延伸管７１の延伸を利用して広範囲にわたって気体Ａ１の吸引を行い、空気を高い交換率で対流させ、病原菌の感染率を低減することができる。
【符号の説明】
【００２７】
１      水循環吸収型硫化水素空気浄化機
１０    貯水槽
１１    ポンプ
１２    ベンチュリ管
１３    側管
１４    ろ過及び流れ案内装置
Ａ３    気体
Ａ３１  空気
Ｗ３    水
２      ベンチュリ気泡型スクラブ塔排気ガス処理装置
２０    循環水槽
２１    循環ポンプ
２２    揚水メイン管
２３    ベンチュリ真空吸入器
２４    静的撹拌管
２５    散気管
２６    排気管
Ａ４    排気ガス
Ａ４１  空気
Ｗ４    スクラブ塔吸収液
３      水ろ過材空気浄化装置
４      水タンク
４０    凹溝
４１    収容空間
４１１  支持部
４２    開口
４３    吸気孔
４４    排気孔
４５    排水孔
４６    排水弁
４７    ローラ
５      水ポンプ
５０    固定ユニット
５１    固定部
５２    吸引側
５３    排出側
６      均圧装置
６１    均圧チャンバ
６２    噴流管
６２１  前端
６２２  後端
６２３  第一縮小孔
６２４  第二縮小孔
６２５  水及び気体の混合空間
６３    吸気口
７      吸気管
７０    メネジ
７１    延伸管
７１１  オネジ
８      ハウジング
８１    貯水槽
８１１  貯水用開口
８１２  外蓋
８１３  気孔
８１４  入水管
９      溢水容器
９１    溢水用開口
９２    排水管
Ａ１    気体
Ａ２    清浄気体
ＡＷ    気泡液
Ｏ      異物
Ｗ１    水
Ｗ２    清浄水
【図１】
2017042381.tif 000003
【図２】
2017042381.tif 000004
【図３】
2017042381.tif 000005
【図４】
2017042381.tif 000006
【図５】
2017042381.tif 000007
【図６】
2017042381.tif 000008
【図７】
2017042381.tif 000009
【図８】
2017042381.tif 000010
【図９】
2017042381.tif 000011
【図１０】
2017042381.tif 000012
【手続補正書】
【提出日】平成28年7月27日(2016.7.27)
【手続補正１】
【補正対象書類名】特許請求の範囲
【補正対象項目名】全文
【補正方法】変更
【補正の内容】
【特許請求の範囲】
【請求項１】
水タンク、水ポンプ、均圧装置、複数の吸気管、ハウジング及び溢水容器を包括する水ろ過材空気浄化装置であって、
前記水タンク内は、上方に開口を有して水を収容する収容空間を設け、前記水タンクの上部周辺は、前記収容空間と連通し合う複数の吸気孔と複数の排気孔とを分布するように設け、また、同じ前記水タンクの上方周辺は、前記水タンク上において、これ等吸気孔及びこれ等排気孔より低い位置に位置して前記収容空間と連通し合う排水孔を設け、
前記水ポンプは、前記水タンクの前記収容空間下方に設けられ、
前記均圧装置は、前記水ポンプと接続し、その周辺は、複数の噴流管を設け、且つその内部は、前記水ポンプ及びこれ等噴流管とそれぞれ連通し合う均圧チャンバを有し、
前記複数の吸気管の両端は、前記吸気孔及び前記噴流管とそれぞれ連通し合い、
前記ハウジングは、前記開口に対応するように前記水タンクの上端に設けられ、且つ前記ハウジング上に、前記水タンクと同じ複数の吸気孔と、貯水槽とが設けられ、これ等吸気孔は、これ等吸気管を介してこれ等噴流管とそれぞれ連通し合い、前記貯水槽の下端は、前記収容空間内にある水まで延在する入水管を接続し、
前記溢水容器は、前記排水孔に対応するように設置することで、前記排水孔から溢れ出した水を受けることを特徴とする水ろ過材空気浄化装置。
【請求項２】
これ等吸気孔のうちの一つの外側に設置するように接続する少なくとも一つの延伸管をさらに包括することを特徴とする請求項１に記載の水ろ過材空気浄化装置。
【請求項３】
前記吸気管が前記吸気孔に接続する一端の孔径内は、メネジを設け、前記延伸管の一端は、オネジを設け、前記延伸管の一端は、前記オネジを介して前記吸気管の前記メネジと螺設することを特徴とする請求項２に記載の水ろ過材空気浄化装置。
【請求項４】
前記収容空間の底部は、前記水ポンプを架設し且つ接続するように固定するための複数の支持部を凸設することを特徴とする請求項１に記載の水ろ過材空気浄化装置。
【請求項５】
前記貯水槽の上端は、貯水用開口及び前記貯水用開口の上方に設置する外蓋を設け、前記外蓋の上面は、これを貫通する気孔を設けることを特徴とする請求項１に記載の水ろ過材空気浄化装置。
【請求項６】
前記水タンクは、内側に向かうように凹設する凹溝を有し、前記排水孔を前記凹溝の上端に設け、前記溢水容器を前記水タンクの前記凹溝内に設置し、溢水用開口９１を前記排水孔４５に対応するように設置することを特徴とする請求項１に記載の水ろ過材空気浄化装置。
【請求項７】
前記溢水容器の下方に、連通し合う排水管を設けることを特徴とする請求項１に記載の水ろ過材空気浄化装置。
【請求項８】
前記水タンク下部周辺の一方に、前記収容空間の底部に連通し合う排水弁を設けることを特徴とする請求項１に記載の水ろ過材空気浄化装置。
【請求項９】
前記水タンクの下方に、前記水タンクを移動させるための複数のローラを設けることを特徴とする請求項１に記載の水ろ過材空気浄化装置。
【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
水タンク、水ポンプ、均圧装置、複数の吸気管、ハウジング及び溢水容器を包括する水ろ過材空気浄化装置であって、
前記水タンク内は、上方に開口を有して水を収容する収容空間を設け、前記水タンクの上部周辺は、前記収容空間と連通し合う複数の吸気孔と複数の排気孔とを分布するように設け、また、同じ前記水タンクの上方周辺は、前記水タンク上において、これ等吸気孔及びこれ等排気孔より低い位置に位置して前記収容空間と連通し合う排水孔を設け、
前記水ポンプは、前記水タンクの前記収容空間下方に設けられ、
前記均圧装置は、前記水ポンプと接続し、その周辺は、複数の噴流管を設け、且つその内部は、前記水ポンプ及びこれ等噴流管とそれぞれ連通し合う均圧チャンバを有し、
前記複数の吸気管の両端は、前記吸気孔及び前記噴流管とそれぞれ連通し合い、
前記ハウジングは、前記開口に対応するように前記水タンクの上端に設けられ、且つ前記ハウジング上に、前記水タンクと同じ複数の吸気孔と、貯水槽とが設けられ、これ等吸気孔は、これ等吸気管を介してこれ等噴流管とそれぞれ連通し合い、前記貯水槽の下端は、前記収容空間内にある水まで延在する入水管を接続し、
前記溢水容器は、前記排水孔に対応するように設置することで、前記排水孔から溢れ出した水を受けることを特徴とする水ろ過材空気浄化装置。
【請求項２】
これ等吸気孔のうちの一つの外側に設置するように接続する少なくとも一つの延伸管をさらに包括することを特徴とする請求項１に記載の水ろ過材空気浄化装置。
【請求項３】
前記吸気管が前記吸気孔に接続する一端の孔径内は、メネジを設け、前記延伸管の一端は、オネジを設け、前記延伸管の一端は、前記オネジを介して前記吸気管の前記メネジと螺設することを特徴とする請求項２に記載の水ろ過材空気浄化装置。
【請求項４】
前記収容空間の底部は、前記水ポンプを架設し且つ接続するように固定するための複数の支持部を凸設することを特徴とする請求項１に記載の水ろ過材空気浄化装置。
【請求項５】
前記貯水槽の上端は、貯水用開口及び前記貯水用開口の上方に設置する外蓋を設け、前記外蓋の上面は、これを貫通する気孔を設けることを特徴とする請求項１に記載の水ろ過材空気浄化装置。
【請求項６】
前記溢水容器の下方に、連通し合う排水管を設けることを特徴とする請求項１に記載の水ろ過材空気浄化装置。
【請求項７】
前記水タンク下部周辺の一方に、前記収容空間の底部に連通し合う排水弁を設けることを特徴とする請求項１に記載の水ろ過材空気浄化装置。
【請求項８】
前記排水弁から離れた前記水タンクの一側に、凹溝を内側に向かうように凹設し、前記排水孔を前記凹溝の上端に設け、前記溢水容器を前記水タンクの前記凹溝内に設置し、溢水用開口を前記排水孔に対応するように設置することを特徴とする請求項７に記載の水ろ過材空気浄化装置。
【請求項９】
前記水タンクの下方に、前記水タンクを移動させるための複数のローラを設けることを特徴とする請求項１に記載の水ろ過材空気浄化装置。